(57)【要約】  本発明は、単位セルとして、電池セルまたは２つ以上の電池セルからなるセルアセンブリを複数含んでいる単位モジュールが隣接して配列されており、電極端子が一面に配列されている単位モジュールアセンブリと、前記単位モジュールアセンブリの一側面に配列されており、端子接続部が前記電極端子と同一面に配列されている電池遮断ユニット（battery disconnect unit：ＢＤＵ）と、前記単位モジュールアセンブリの単位モジュールが内部に装着されており、単位モジュールの電極端子部位が開放されているモジュールケースと、電気絶縁性の素材からなっており、前記モジュールケースにおいて単位モジュールの電極端子部位上に装着されるカバープレートと、前記カバープレート上に含まれている２つ以上のバスバーとを有しているバスバーアセンブリと、を含むことを特徴とする電池モジュールを提供する。
2015524605.tif 000002
【特許請求の範囲】
【請求項１】
単位セルとして、電池セルまたは２つ以上の電池セルからなるセルアセンブリを複数含んでいる単位モジュールが隣接して配列されており、電極端子が一面に配列されている単位モジュールアセンブリと、
前記単位モジュールアセンブリの一側面に配列されており、端子接続部が前記電極端子と同一面に配列されている電池遮断ユニット（battery disconnect unit：ＢＤＵ）と、
前記単位モジュールアセンブリの単位モジュールが内部に装着されており、単位モジュールの電極端子部位が開放されているモジュールケースと、
電気絶縁性の素材からなっており、前記モジュールケースにおいて単位モジュールの電極端子部位上に装着されるカバープレートと、前記カバープレート上に含まれている２つ以上のバスバーとを有しているバスバーアセンブリと、
を含むことを特徴とする、電池モジュール。
【請求項２】
前記電池セルは、板状型電池セルであることを特徴とする、請求項１に記載の電池モジュール。
【請求項３】
前記電池セルは、ラミネート電池ケースに電極組立体が内蔵されている構造からなることを特徴とする、請求項２に記載の電池モジュール。
【請求項４】
前記セルアセンブリは、電極端子を除いて、２つ以上の電池セルの外面をセルカバーで覆っている構造からなることを特徴とする、請求項１に記載の電池モジュール。
【請求項５】
前記単位モジュールにおいて、単位セルは並列接続及び直列接続を含んでいることを特徴とする、請求項１に記載の電池モジュール。
【請求項６】
前記単位モジュールには、２つ以上の正極端子及び２つ以上の負極端子が形成されていることを特徴とする、請求項１に記載の電池モジュール。
【請求項７】
前記単位モジュールは、１つの正極端子及び１つの負極端子が形成されている第１配列と、前記第１配列に隣接して位置し、１つの正極端子及び１つの負極端子が形成されている第２配列と、を含んでいることを特徴とする、請求項６に記載の電池モジュール。
【請求項８】
前記バスバーは、並列方式で単位モジュールをＢＤＵに接続する構造からなることを特徴とする、請求項１に記載の電池モジュール。
【請求項９】
前記バスバーは、
単位モジュールの負極端子をＢＤＵの負極端子接続部に接続する１つの負極バスバーと、
単位モジュールの正極端子をそれぞれＢＤＵの正極端子接続部に接続する２つ以上の正極バスバーと、
を含むことを特徴とする、請求項８に記載の電池モジュール。
【請求項１０】
前記バスバーは、端子接続部位が突出した構造でカバープレートに結合されていることを特徴とする、請求項１に記載の電池モジュール。
【請求項１１】
前記バスバーの端子接続部位及び単位モジュールの電極端子には、それぞれ締結口が穿孔されており、前記締結口に締結部材が挿入されて連結されることを特徴とする、請求項１０に記載の電池モジュール。
【請求項１２】
前記締結部材はボルトであることを特徴とする、請求項１１に記載の電池モジュール。
【請求項１３】
前記バスバーの端子接続部位には締結孔が穿孔されており、前記単位モジュールの電極端子には、前記締結孔に挿入される締結突起が形成されていることを特徴とする、請求項１０に記載の電池モジュール。
【請求項１４】
前記バスバーアセンブリは、インサート射出方式によりカバープレートとバスバーとが一体に形成されていることを特徴とする、請求項１に記載の電池モジュール。
【請求項１５】
前記バスバーアセンブリは、カバープレートにバスバーが締結結合される構造で形成されていることを特徴とする、請求項１に記載の電池モジュール。
【請求項１６】
前記バスバーアセンブリには、端子を覆う２つ以上の端子カバーがさらに装着されていることを特徴とする、請求項１に記載の電池モジュール。
【請求項１７】
前記端子カバーは、前記バスバーアセンブリにフック締結方式で結合されることを特徴とする、請求項１６に記載の電池モジュール。
【請求項１８】
前記バスバーアセンブリには、電気的絶縁を確保するための２つ以上の絶縁部材がさらに装着されていることを特徴とする、請求項１に記載の電池モジュール。
【請求項１９】
前記カバープレートには、前記電極端子間の干渉を防止するように、単位モジュール方向に突出したリブが形成されていることを特徴とする、請求項１に記載の電池モジュール。
【請求項２０】
前記カバープレートには、モジュールケースに締結するための２つ以上の締結リブがモジュールケース方向に突出していることを特徴とする、請求項１に記載の電池モジュール。
【請求項２１】
前記締結リブ及びモジュールケースには、締結用貫通口がそれぞれ穿孔されていることを特徴とする、請求項２０に記載の電池モジュール。
【請求項２２】
前記締結リブには１つ以上の位置固定用突起が形成されており、前記モジュールケースの対応部位には１つ以上の挿入孔がそれぞれ形成されていることを特徴とする、請求項２１に記載の電池モジュール。
【請求項２３】
請求項１から２２のいずれか一項に記載の電池モジュールの２つ以上がパックケースに装着されていることを特徴とする、電池パック。
【請求項２４】
請求項１に記載の電池モジュールまたは請求項２１に記載の電池パックを電源として用いることを特徴とする、デバイス。
【請求項２５】
前記デバイスは、電気自動車、ハイブリッド電気自動車、プラグインハイブリッド電気自動車、または電力貯蔵装置であることを特徴とする、請求項２４に記載のデバイス。
【発明の詳細な説明】
【技術分野】
【０００１】
本発明は、バスバーアセンブリを含む電池モジュール及びそれを含む電池パックに係り、より詳細には、単位セルとして、電池セルまたは２つ以上の電池セルからなるセルアセンブリを複数含んでいる単位モジュールが隣接して配列されており、電極端子が一面に配列されている単位モジュールアセンブリと、前記単位モジュールアセンブリの一側面に配列されており、端子接続部が前記電極端子と同一面に配列されている電池遮断ユニットと、前記単位モジュールアセンブリの単位モジュールが内部に装着されており、単位モジュールの電極端子部位が開放されているモジュールケースと、電気絶縁性の素材からなっており、前記モジュールケースにおいて単位モジュールの電極端子部位上に装着されるカバープレートと、前記カバープレート上に含まれている２つ以上のバスバーとを有しているバスバーアセンブリと、を含むことを特徴とする電池モジュールに関する。
【背景技術】
【０００２】
充放電可能な二次電池は、ワイヤレスモバイル機器のエネルギー源として広範囲に使用されている。また、二次電池は、化石燃料を使用する既存のガソリン車両、ディーゼル車両などの大気汚染などを解決するための方案として提示されている電気自動車（ＥＶ）、ハイブリッド電気自動車（ＨＥＶ）などの動力源としても注目されている。
【０００３】
小型モバイル機器には、デバイス１台当たり１つ、または２乃至４つの電池セルが使用される一方、自動車などのような中大型デバイスには、高出力大容量の必要性により、多数の電池セルを電気的に接続した中大型電池モジュールが使用される。
【０００４】
中大型電池モジュールは、可能な限り小さい大きさ及び重量で製造されることが好ましいので、高い集積度で充積することができ、容量に比べて重量の小さい角形電池、パウチ型電池などが中大型電池モジュールの電池セルとして主に用いられている。特に、アルミニウムラミネートシートなどを外装部材として用いるパウチ型電池は、重量が小さく、製造コストが低いなどの利点により、最近多くの関心を集めている。
【０００５】
一方、電池モジュールが、所定の装置ないしデバイスで要求される出力及び容量を提供するためには、複数の電池セルを直列又は並列方式で電気的に接続しなければならず、電池モジュールの容量が大きくなるほど、拡張性が容易且つ安定した構造を維持できなければならない。特に、複数の電池セルを用いて電池モジュールを構成するか、または所定単位の電池セルからなる複数個のセルモジュールを用いて電池モジュールを構成する場合、バスバーのように、これらの機械的締結及び電気的接続のために一般的に多くの部材が必要であるため、このような部材を組み立てる過程は非常に複雑である。
【０００６】
例えば、従来は、電池モジュールの電気的接続を構成するためにパワーケーブルやバスバーなどを用いて直接締結したが、この場合、作業過程で工具などによる短絡又は誤組立による事故危険に露出する。
【０００７】
特に、パワーケーブルの場合、供給される電流の仕様に応じて多くの力が要求される。このような欠点を補完するために、別途のコネクタ又はプラグインコネクタなどを用いて電気的接続を容易にするための方法が提案されているが、別途の部材を必要とするため、不必要な部品数の増加を招く。
【０００８】
このような機械的締結及び電気的接続のための多数の部材の結合、溶接、ソルダリングなどのための部材の増加は、必要な空間が追加的に要求されるので、それによって、電池システム全体の大きさが大きくなってしまう。このような大きさの増加は、上述したような観点から好ましくない。
【０００９】
したがって、上記のような問題点を解決すると共に、中大型電池パックの組み立てが容易であり、安全性を根本的に担保することができる中大型電池パックに対する必要性が非常に高い実情である。
【発明の概要】
【発明が解決しようとする課題】
【００１０】
本発明は、上記のような従来技術の問題点及び過去から要請されてきた技術的課題を解決することを目的とする。
【００１１】
具体的に、本発明の目的は、機械的締結及び電気的接続のために多数の部材を使用せずとも、多数のセルモジュールアセンブリを電気的に接続すると共に、拡張が容易な特定構造のバスバーアセンブリを提供するものである。
【００１２】
本発明の他の目的は、バスバーアセンブリを含み、コンパクト且つ安定性に優れた構造の電池モジュールアセンブリ及びそれをベースとした電池モジュールを提供するものである。
【課題を解決するための手段】
【００１３】
このような目的を達成するための本発明に係る電池モジュールは、
単位セルとして、電池セルまたは２つ以上の電池セルからなるセルアセンブリを複数含んでいる単位モジュールが隣接して配列されており、電極端子が一面に配列されている単位モジュールアセンブリと、
前記単位モジュールアセンブリの一側面に配列されており、端子接続部が前記電極端子と同一面に配列されている電池遮断ユニット（battery disconnect unit：ＢＤＵ）と、
前記単位モジュールアセンブリの単位モジュールが内部に装着されており、単位モジュールの電極端子部位が開放されているモジュールケースと、
電気絶縁性の素材からなっており、前記モジュールケースにおいて単位モジュールの電極端子部位上に装着されるカバープレートと、前記カバープレート上に含まれている２つ以上のバスバーとを有しているバスバーアセンブリと、
を含む構造であってもよい。
【００１４】
したがって、全体的にコンパクトで、構造的安定性に優れると共に、複数個のバスバーを、絶縁体であるカバープレートと一体化された特定の構造のバスバーアセンブリとして構成することによって、組立過程が容易であるだけでなく、製造過程で発生する誤組立又は短絡の危険を根本的に防止することができる。
【００１５】
一具体例において、前記電池セルは、板状型電池セルであって、樹脂層と金属層を含むラミネート電池ケースに電極組立体が内蔵されている構造であってもよい。
【００１６】
前記セルアセンブリは、電極端子が露出した状態で２つ以上の板状型電池セルがセルカバーに装着されている構造であってもよく、前記セルカバーは、電池セルの電極端子部位を除いて電池セルの外面を覆うように相互結合される一対の外装部材であってもよい。
【００１７】
前記単位モジュールにおいて、単位セルは、並列接続又は直列接続を含んでいる構造であってよく、一つの例として、前記単位モジュールには、２つ以上の正極端子及び２つ以上の負極端子が形成されている構造であってもよい。
【００１８】
このような構造の単位モジュールは、例えば、１つの正極端子及び１つの負極端子が形成されている第１配列と、前記第１配列に隣接して位置し、１つの正極端子及び１つの負極端子が形成されている第２配列と、を含んでいる構造であってもよい。
【００１９】
一つの好ましい例として、前記バスバーは、並列方式で単位モジュールをＢＤＵに接続する構造からなることができる。
【００２０】
一具体例において、前記バスバーは、単位モジュールの負極端子をＢＤＵの負極端子接続部に接続する１つの負極バスバーと、単位モジュールの正極端子をそれぞれＢＤＵの正極端子接続部に接続する２つ以上の正極バスバーと、を含む構造であってもよい。
【００２１】
また、前記バスバーは、端子接続部位が突出した構造でカバープレートに結合されている構造であってもよい。
【００２２】
一具体例において、前記バスバーの端子接続部位及び単位モジュールの電極端子には、それぞれ締結口が穿孔されており、前記締結口に締結部材が挿入されて連結される構造であってもよい。前記締結部材は、例えば、ボルトであってもよいが、これに限定されないことは勿論である。
【００２３】
場合によっては、前記バスバーの端子接続部位に締結孔が穿孔されており、前記単位モジュールの電極端子には、前記締結孔に挿入される締結突起が形成されている構造であってもよい。
【００２４】
一具体例において、前記バスバーアセンブリは、インサート射出方式によりカバープレートとバスバーとが一体に形成されている構造であってもよい。
【００２５】
場合によっては、前記バスバーアセンブリは、カバープレートにバスバーが締結結合される構造であってもよい。
【００２６】
また、前記バスバーアセンブリには、端子を覆う２つ以上の端子カバーがさらに装着されている構造であってもよく、例えば、前記バスバーアセンブリにフック締結方式で結合される構造であってもよいが、これに限定されるものではない。
【００２７】
前記バスバーアセンブリには、電気的絶縁を確保するための２つ以上の絶縁部材がさらに装着されている構造であってもよい。
【００２８】
前記カバープレートには、前記電極端子間の干渉を防止するように、単位モジュールの方向に突出したリブが形成されている構造であってもよい。このような構造により、作業時に電極端子間の接触による危険を防止することができる。
【００２９】
前記カバープレートには、モジュールケースに締結するための２つ以上の締結リブがモジュールケース方向に突出している構造であってもよい。
【００３０】
具体例において、前記締結リブ及びモジュールケースには、締結用貫通口がそれぞれ穿孔されており、前記締結リブには、１つ以上の位置固定用突起が形成されており、前記モジュールケースの対応部位には、１つ以上の挿入孔がそれぞれ形成されている構造であってもよい。したがって、カバープレートをモジュールケースに安定的に装着することができる。
【００３１】
本発明はまた、前記電池モジュールの２つ以上がパックケースに装着されている電池パック、及び前記電池モジュール又は電池パックを電源として用いるデバイスを提供する。
【００３２】
本発明に係る電池パックを用いることができるデバイスの好ましい例としては、限定された装着空間を有し、頻繁な振動と強い衝撃などに露出される電気自動車、ハイブリッド電気自動車、プラグインハイブリッド電気自動車、または電力貯蔵装置などを挙げることができる。
【００３３】
自動車の電源として用いられる電池パックは、所望の出力及び容量に応じて組み合わせて製造できることは勿論である。
【００３４】
電気自動車、ハイブリッド電気自動車、プラグインハイブリッド電気自動車、電力貯蔵装置などは当業界で公知となっているので、それについての詳細な説明は本明細書で省略する。
【図面の簡単な説明】
【００３５】
【図１】本発明に係るパウチ型電池セルの斜視図である。
【図２】図１の電池セルがセルカバーに装着された構造の単位セル（セルアセンブリ）に対する斜視図である。
【図３】図２の単位セルがカートリッジに装着されて一つの積層単位体を構成する形状を示す斜視図である。
【図４】本発明に係る積層単位体の平面図である。
【図５】本発明に係る単位モジュールの斜視図である。
【図６】本発明の一実施例に係る電池モジュールの組立過程を示す斜視図である。
【図７】本発明の一実施例に係る電池モジュールの組立過程を示す斜視図である。
【図８】本発明の一実施例に係る電池モジュールの組立過程を示す斜視図である。
【図９】本発明の一実施例に係る電池モジュールの組立過程を示す斜視図である。
【図１０】本発明の一実施例に係るバスバーアセンブリの分解斜視図である。
【図１１】本発明の一実施例に係るバスバーアセンブリの分解斜視図である。
【図１２】本発明に係るバスバーアセンブリの底面斜視図である。
【図１３】図１２の「Ｃ」部分の部分拡大図である。
【図１４】本発明に係るバスバーアセンブリの側面図である。
【図１５】本発明に係るバスバーアセンブリの側面図である。
【発明を実施するための形態】
【００３６】
以下では、本発明の実施例に係る図面を参照して説明するが、これは、本発明のより容易な理解のためのものであり、本発明の範疇がそれによって限定されるものではない。
【００３７】
図１には、本発明に係るパウチ型電池セルの斜視図が示されている。
【００３８】
図１を参照すると、電池セルは、電極端子（正極端子１１、負極端子１２）が一側端部に形成されている板状型電池セル１０である。具体的に、板状型電池セル１０は、金属層（図示せず）と樹脂層（図示せず）を含むラミネートシートのパウチ型ケース１３に電極組立体（図示せず）を内蔵し、例えば、熱融着によりシーリング部１４を形成した構造であり、一般的にこれを、「パウチ型電池セル」と通称することもある。
【００３９】
図２には、図１の電池セルがセルカバーに装着された構造の単位セル（セルアセンブリ）に対する斜視図が示されている。
【００４０】
図２を図１と共に参照すると、２つの電池セル１０が、上部セルカバー１１１及び下部セルカバー１１２で構成されたセルカバー１１１，１１２に収納及び固定されている。また、２つの電池セル１０の電極端子１１，１２は、それぞれ電気的に並列接続されて２つの電極端子１１０ａ，１１０ｂを形成できるように、セルカバーから一側方向に露出している。
【００４１】
図３には、図２の単位セルがカートリッジに装着されて一つの積層単位体を構成する形状を示した斜視図が示されており、図４には、本発明に係る積層単位体の平面図が示されており、図５には、本発明に係る単位モジュールの斜視図が示されている。
【００４２】
これら図面を参照すると、２つの単位セル１１０は、カートリッジ１２０に装着されて一つの積層単位体１００を構成し、複数個の積層単位体１００が隣接して積層配列されて、一つの単位モジュール１５０を構成する。このとき、２つの単位セル１１０は、それぞれの正極端子１１０ａと負極端子１１０ｂが互いに対向するように配列されている。また、これら電極端子１１０ａ，１１０ｂは、それぞれバスバー１３０により電気的に並列接続されている。
【００４３】
また、カートリッジ１２０の両側面には、締結溝１２２を備えた突出部１２１が形成されており、締結溝１２２を貫通する締結部材（図示せず）によって積層単位体１００が相互結合されている。
【００４４】
図６乃至図９には、本発明の一実施例に係る電池モジュールの組立過程を示す斜視図が模式的に示されており、図１０及び図１１には、本発明の一実施例に係るバスバーアセンブリの分解斜視図が模式的に示されている。
【００４５】
これら図面を図１乃至図５と共に参照すると、電池モジュール２００は、垂直に隣接して配列されている単位モジュール１５０と、単位モジュール１５０の一側面に連続的に装着されている電池遮断ユニット１６０と、単位モジュール１５０が内部に装着されているモジュールケース２１０と、モジュールケース２１０の前面に装着されるバスバーアセンブリ３００と、バスバーアセンブリ３００の前面に順次装着されるバスバーアセンブリカバー４００及び前面カバー２２０とを含んで構成されている。
【００４６】
具体的に、電池モジュール２００は、２つの単位モジュール１５０ａ，１５０ｂで構成された単位モジュールアセンブリ１９０を含んでいる。単位モジュール１５０ａは、正極端子１５１とその下側に位置した負極端子１５２とが形成されている第１配列Ａと、正極端子１５３とその下側に位置した負極端子１５４とが形成されている第２配列Ｂとで構成されている。同様に、単位モジュール１５０ｂは、正極端子１５５とその下側に位置した負極端子１５６とが形成されている第１配列Ａと、正極端子１５７とその下側に位置した負極端子１５８とが形成されている第２配列Ｂとで構成されている。
【００４７】
単位モジュール１５０ａ，１５０ｂの隣接部位には電池遮断ユニット１６０が装着されており、電池遮断ユニット１６０の前面には、上から４つの正極端子接続部１６１，１６２，１６３，１６４と、１つの負極端子接続部１６５とが順次形成されている。
【００４８】
バスバーアセンブリ３００は、単位モジュール１５０ａ，１５０ｂの前面に露出された電極端子部位に装着され、絶縁性素材からなっているカバープレート３０１と、カバープレート３０１上に装着される１つの負極バスバー３５０及び４つの正極バスバー３６０，３６１，３６２，３６３とで構成されている。
【００４９】
正極バスバー３６０，３６１，３６２，３６３及び負極バスバー３５０は、単位モジュール１５０ａ，１５０ｂの正極端子１５１，１５３，１５５，１５７及び負極端子１５２，１５４，１５６，１５８に接触するように所定の部位が折れ曲がった状態で突出しており、突出した部位には締結孔３５５がそれぞれ形成されているので、単位モジュール１５０ａ，１５０ｂの正極端子１５１，１５３，１５５，１５７及び負極端子１５２，１５４，１５６，１５８に形成された締結突起（図示せず）が締結孔３５５に挿入されることによって、モジュールケース２１０の前面に、バスバーアセンブリ３００が電池モジュール２００と電気的に接続される。
【００５０】
締結孔３５５部位と前述した正極端子接続部には、連結部位を覆うように端子カバー３７０がフック結合され、負極バスバー３５０の上部面には、電気的絶縁を確保するための絶縁部材３６０が追加的に装着されている。
【００５１】
４つの正極バスバー３６０，３６１，３６２，３６３は、単位モジュール１５０ａ，１５０ｂの正極端子１５１，１５３，１５５，１５７が電池遮断ユニット１６０の４つの正極端子接続部１６１，１６２，１６３，１６４にそれぞれ接続される板状型板材の形状を有し、略水平方向に延びた形態でカバープレート３０１上に装着されている。１つの負極バスバー３５０は、相互間にボルト３８０の結合により略
【００５２】
【数１】
2015524605.tif 000003
字状に結合された状態で、単位モジュール１５０ａ，１５０ｂの負極端子１５２，１５４，１５６，１５８が電池遮断ユニット１６０に形成された１つの負極端子接続部１６５に接続されるように、カバープレート３０１上に装着されている。
【００５３】
以下、単位モジュールアセンブリ１９０とバスバーアセンブリ３００の具体的な結合構造を説明する。
【００５４】
まず、左側に位置した単位モジュール１５０ａにおいて、第１配列Ａの正極端子１５１は、バスバー３６３によって電池遮断ユニット１６０の正極端子接続部１６１に接続され、右側に位置した単位モジュール１５０ｂにおいて、第１配列Ａの正極端子１５５は、バスバー３６２によって電池遮断ユニット１６０の正極端子接続部１６２に接続される。
【００５５】
同様に、単位モジュール１５０ｂにおいて、第２配列Ｂの正極端子１５３は、バスバー３６１によって電池遮断ユニット１６０の正極端子接続部１６３に接続され、単位モジュール１５０ｂにおいて、第２配列Ｂの正極端子１５７は、バスバー３６０によって電池遮断ユニット１６０の正極端子接続部１６４に接続される。
【００５６】
単位モジュール１５０ａ，１５０ｂの第１配列Ａの負極端子１５２，１５６及び第２配列Ｂの負極端子１５４，１５８は、バスバー３５０によって電池遮断ユニット１６０の負極端子接続部１６５に接続される。
【００５７】
以下では、本発明に係る電池モジュールの組立過程について説明する。
【００５８】
電池モジュールアセンブリ１９０は、前面が開放されており、電極端子が外部に露出した状態でモジュールケース２１０に装着され、モジュールケース２１０の前面開放部位にはバスバーアセンブリ３００が装着される。また、バスバーアセンブリ３００には、単位モジュール１００を電気的に接続するために、４つの正極バスバー３６０，３６１，３６２，３６３及び１つの負極バスバー３５０がそれぞれ装着されている。
【００５９】
ここで、バスバーアセンブリ３００には、モジュールケース２１０に結合されるように左側及び右側に４つの締結リブ３１０が形成され、これに対応する部位のモジュールケース２１０には、締結用貫通口２１１がそれぞれ形成されている。
【００６０】
その後、バスバーアセンブリ３００の前面には、露出された正極バスバー３６０，３６１，３６２，３６３及び負極バスバー３５０，３５１，３５２を覆うようにバスバーアセンブリカバー４００が装着され、電池モジュール２００に電力を供給する電源ケーブル１６２が、電池遮断ユニット１６０を介して接続される。
【００６１】
最終的に、前面カバー２２０がバスバーアセンブリカバー４００の前面を覆いながらモジュールケース２１０に結合されることによって、電池モジュールの組立が完成する。
【００６２】
図１２には、本発明に係るバスバーアセンブリの底面斜視図が模式的に示されており、図１３には、図１２の「Ｃ」部分の部分拡大図が模式的に示されており、図１４及び図１５には、本発明に係るバスバーアセンブリの側面図が模式的に示されている。
【００６３】
これら図面を図６乃至図１１と共に参照すると、バスバーアセンブリ３００のカバープレート３０１には、単位モジュールアセンブリ１９０方向にリブ３２０が突出しており、モジュールケース２１０に結合される４つの締結リブ３１０が左側及び右側に形成されている。
【００６４】
締結リブ３１０には締結用貫通口３１１が形成され、締結用貫通口３１１の周囲には、２つの位置固定用突起３１２が追加的に突出しているので、ボルト（図示せず）が締結リブ３１０の締結用貫通口３１１を通してモジュールケース２１０の締結用貫通口２１１に挿入され、位置固定用突起３１２がモジュールケース２１０の挿入孔２１２に順次挿入されながら、バスバーアセンブリ３００がモジュールケース２１０に安定的に結合される。
【００６５】
以上、本発明の実施例に係る図面を参照して説明したが、本発明の属する分野における通常の知識を有する者であれば、上記内容に基づいて本発明の範疇内で様々な応用及び変形を行うことが可能であろう。
【産業上の利用可能性】
【００６６】
以上で説明したように、本発明に係る電池モジュールは、全体的にコンパクトで、構造的安定性に優れると共に、並列に接続された電池セルを、絶縁体であるカバープレートと一体化された特定の構造のバスバーアセンブリを用いて連結することによって、全体的にコンパクト且つ安定的であり、組立が容易であるだけでなく、製造過程で発生する誤組立又は短絡の危険を防止することができる。
【符号の説明】
【００６７】
１０  電池セル
１１１  上部セルカバー
１１２  下部セルカバー
１１１，１１２  セルカバー
１１，１２  電極端子
１１０ａ，１１０ｂ  電極端子
【図１】
2015524605.tif 000004
【図２】
2015524605.tif 000005
【図３】
2015524605.tif 000006
【図４】
2015524605.tif 000007
【図５】
2015524605.tif 000008
【図６】
2015524605.tif 000009
【図７】
2015524605.tif 000010
【図８】
2015524605.tif 000011
【図９】
2015524605.tif 000012
【図１０】
2015524605.tif 000013
【図１１】
2015524605.tif 000014
【図１２】
2015524605.tif 000015
【図１３】
2015524605.tif 000016
【図１４】
2015524605.tif 000017
【図１５】
2015524605.tif 000018
【国際調査報告】
2015524605.tif 000019
2015524605.tif 000020
2015524605.tif 000021
2015524605.tif 000022
2015524605.tif 000023
2015524605.tif 000024